【手続補正書】
【提出日】平成16年6月7日(2004.6.7)
【手続補正１】
【補正対象書類名】特許請求の範囲
【補正対象項目名】全文
【補正方法】変更
【補正の内容】
【特許請求の範囲】
【請求項１】
ＲＡＫＥ受信器岐路の拡散コード遅延を設定するための方法において、
各ＲＡＫＥ岐路の周囲の１組の伝播遅延ポイントにおいて多経路伝播信号の強度を決定し(300)、
測定により信号強度を推定できる領域内で遅延変化が生じるように各岐路におけるコード遅延変化を制限し(302)、
所定値を越えるように岐路におけるコード遅延間の差を制限し(304)、
受信器岐路のコード遅延に対する解を決定し(306)、これは、処理されるべき岐路及び遅延の程度先行する岐路に対するコード遅延候補を含み、
処理されるべき岐路における各許容コード遅延変化に対して特定の解が与えられるようにし、上記解は、処理されるべき岐路及び該岐路に先行する岐路に対するコード遅延候補を含み、上記解は、処理されるべき岐路及び先行する岐路における信号強度の和を最大にするが、上記解において、処理されるべき岐路のコード遅延候補の値がせいぜい上記コード遅延変化に対応するコード遅延に等しいという制限があり、そして上記解を上記許容最大遅延の程度で形成し、そして
最後に決定された解に基づいて岐路遅延を選択する(308)、
という段階を備えたことを特徴とする方法。
【請求項２】
上記岐路におけるコード遅延間の差の値は、少なくともプリセット最小距離に対応しなければならない請求項１に記載の方法。
【請求項３】
処理されるべき岐路ｉが、処理されるべき第１岐路でない場合には、上記解に含まれる以前の岐路のコード遅延は、以前の岐路に対して形成された解ＳX（ｉ−１）からの遅延の程度で得られ、ここで、Ｘは、考えられる最大値であるように選択され、これにより、岐路ｉと該岐路に先行する岐路ｉ−１とにおけるコード遅延候補間の差がプリセット最小距離を越えるようにする請求項２に記載の方法。
【請求項４】
上記岐路の最小距離δminは、チップの巾ＴCに対してδmin＝３ＴC／４であるように関連する請求項２に記載の方法。
【請求項５】
上記岐路の最小距離は、拡散コードチップの長さに等しい請求項２に記載の方法。
【請求項６】
上記ＲＡＫＥ受信器において設定されるべき岐路のコード遅延は、処理されるべき最後の岐路Ｎに対して形成された解ＳM（Ｎ）から読み取られ、但し、Ｍは、岐路Ｎに対して許された最大コード遅延追加である請求項１に記載の方法。
【請求項７】
岐路におけるコード遅延に調整ステップεを与え、
各岐路におけるコード遅延追加に対して値−ε、０及び＋εを許容し、
許容されたコード遅延の追加値に対応する遅延ポイントにおいて受信信号の強度を推定する、
という段階を備えた請求項１に記載の方法。
【請求項８】
上記岐路におけるコード遅延の調整ステップεは、チップの巾ＴCに対してε＝ＴC／８のように関連する請求項７に記載の方法。
【請求項９】
上記岐路におけるコード遅延の調整ステップεは、チップの巾ＴCに対してε＝ＴC／１６のように関連する請求項７に記載の方法。
【請求項１０】
ＲＡＫＥ受信器岐路の拡散コード遅延を設定する方法において、
各岐路のコード遅延に変化限界を与え、
遅延の程度で岐路の拡散コード遅延推定を決定し、
既に決定された岐路のコード遅延推定を使用して特定岐路の遅延値としてコード遅延推定を決定して、
受信器岐路の遅延値として所定数の解を決定し、これらの解は、既に処理された全ての岐路に対するコード遅延推定を含み、これらの解において、岐路のコード遅延間の差が所定値を越え、そして上記解の間で特定岐路のコード遅延推定を選択して、選択された解のコード遅延推定に対応する信号強度の和が最大となるようにし、そして
決定されるべき最後の岐路において選択された解のコード遅延推定に対応するように岐路のコード遅延を設定する、
という段階を備えたことを特徴とする方法。
【請求項１１】
岐路を備えたＲＡＫＥ受信器において、
各ＲＡＫＥ岐路の周囲の１組の伝播遅延ポイントにおいて多経路伝播信号の強度を決定するための手段(414, 568)と、
測定により信号強度を推定できる領域内で遅延変化が生じるように各岐路のコード遅延を変更し、そして所定値を越えるように岐路のコード遅延間の差を制限するための手段(414, 568)と、
受信器岐路のコード遅延に対する解を決定し、この解は、処理されるべき岐路及び遅延の程度先行する岐路に対するコード遅延候補を含み、処理されるべき岐路における各許容コード遅延変化に特定の解を与え、上記解は、処理されるべき岐路及び先行する岐路に対するコード遅延候補を含み、上記解は、処理されるべき岐路及びその岐路に先行する岐路の信号強度の和を最大にするが、処理されるべき岐路のコード遅延候補の値がせいぜい上記コード遅延変化に対応するコード遅延に等しいという制約があり、更に、上記解を許容最大遅延の程度に基づいて形成し、そして最後に決定された解に基づいて岐路遅延を選択するように構成された手段(414, 568)と、
を備えたことを特徴とするＲＡＫＥ受信器。
【請求項１２】
上記手段(414, 568)は、少なくとも所定の最小距離を、岐路におけるコード遅延の差として設定するように構成された請求項１１に記載の受信器。
【請求項１３】
上記手段(414, 568)は、拡散コードチップの巾をＴCとすれば、δmin＝３ＴC／４を、岐路の最小距離として設定するように構成された請求項１１に記載の受信器。
【請求項１４】
上記手段(414, 568)は、拡散コードチップの巾に等しい岐路の最小距離の値を設定するように構成された請求項１１に記載の受信器。
【請求項１５】
ＲＡＫＥ受信器を備えたベースステーションにおいて、
各ＲＡＫＥ岐路の周囲の１組の伝播遅延ポイントにおいて多経路伝播信号の強度を決定するための手段(414, 568)と、
測定により信号強度を推定できる領域内で遅延変化が生じるように各岐路のコード遅延を変更し、そして所定値を越えるように岐路のコード遅延間の差を制限するための手段(414, 568)と、
受信器岐路のコード遅延に対する解を決定し、この解は、処理されるべき岐路及び遅延の程度先行する岐路に対するコード遅延候補を含み、処理されるべき岐路における各許容コード遅延変化に特定の解を与え、上記解は、処理されるべき岐路及び先行する岐路に対するコード遅延候補を含み、上記解は、処理されるべき岐路及びその岐路に先行する岐路の信号強度の和を最大にするが、処理されるべき岐路のコード遅延候補の値がせいぜい上記コード遅延変化に対応するコード遅延に等しいという制限があり、更に、上記解を許容最大遅延の程度に基づいて形成し、そして最後に決定された解に基づいて岐路遅延を選択するように構成された手段(414, 568)と、
を備えたことを特徴とするベースステーション。
【請求項１６】
上記手段(414, 568)は、少なくとも所定の最小距離を、岐路におけるコード遅延の差として設定するように構成された請求項１５に記載のベースステーション。
【請求項１７】
上記手段(414, 568)は、拡散コードチップの巾をＴCとすれば、δmin＝３ＴC／４を、岐路の最小距離として設定するように構成された請求項１５に記載のベースステーション。
【請求項１８】
上記手段(414, 568)は、拡散コードチップの巾に等しい岐路の最小距離の値を設定するように構成された請求項１５に記載のベースステーション。
【請求項１９】
ＲＡＫＥ受信器を備えたユーザターミナルにおいて、
各ＲＡＫＥ岐路の周囲の１組の伝播遅延ポイントにおいて多経路伝播信号の強度を決定するための手段(414, 568)と、
測定により信号強度を推定できる領域内で遅延変化が生じるように各岐路のコード遅延を変更し、そして所定値を越えるように岐路のコード遅延間の差を制限するための手段(414, 568)と、
受信器岐路のコード遅延に対する解を決定し、この解は、処理されるべき岐路及び遅延の程度先行する岐路に対するコード遅延候補を含み、処理されるべき岐路における各許容コード遅延変化に特定の解を与え、上記解は、処理されるべき岐路及び先行する岐路に対するコード遅延候補を含み、上記解は、処理されるべき岐路及びその岐路に先行する岐路の信号強度の和を最大にするが、処理されるべき岐路のコード遅延候補の値がせいぜい上記コード遅延変化に対応するコード遅延に等しいという制限があり、更に、上記解を許容最大遅延の程度に基づいて形成し、そして最後に決定された解に基づいて岐路遅延を選択するように構成された手段(414, 568)と、
を備えたことを特徴とするユーザターミナル。
【請求項２０】
上記手段(414, 568)は、少なくとも所定の最小距離を、岐路におけるコード遅延の差として設定するように構成された請求項１９に記載のユーザターミナル。
【請求項２１】
上記手段(414, 568)は、拡散コードチップの巾をＴCとすれば、δmin＝３ＴC／４を、岐路の最小距離として設定するように構成された請求項１９に記載のユーザターミナル。
【請求項２２】
上記手段(414, 568)は、拡散コードチップの巾に等しい岐路の最小距離の値を設定するように構成された請求項１９に記載のユーザターミナル。